(57)【要約】【課題】電極に印加される電位に応じて２色を表示するものにおいて、電極を導電ペーストを用いた印刷によって形成する場合に、ベタ表示を行うためのコストを低減する。【解決手段】印加される電位に応じて黒色または白色を表示する情報表示層２０と、情報表示層２０に電位を印加するための電極１２ａ〜１２ｎ，１３とを有し、情報表示層２０が、電極１２ａ〜１２ｎ，１３に対向する領域にて黒色及び白色のうち当該電極に印加された電位に応じた色を表示するとともに、電極１２ａ〜１２ｎ，１３に対向する領域の外周に沿って、黒色及び白色のうち当該電極に印加された電位に応じた色を表示する一定幅を具備するにじみ領域を有し、ベタ表示部３に黒色または白色をベタ表示するものにおいて、ベタ表示部３に配置された電極１３が、にじみ領域の幅の２倍の幅を具備する溝１４によって複数に分割されている。【選択図】図１
2011013254.tif 000002
【特許請求の範囲】
【請求項１】
印加される電位に応じて第１の色または第２の色を表示する情報表示層と、前記情報表示層に電位を印加するために前記情報表示層の一方の面に配置された電極とを有し、前記情報表示層が、前記電極に対向する領域にて前記第１の色及び第２の色のうち当該電極に印加された電位に応じた色を表示するとともに、前記電極に対向する領域の外周に沿って、前記第１の色及び第２の色のうち当該電極に印加された電位に応じた色を表示する一定幅を具備するにじみ領域を有し、少なくとも一部の領域にて前記第１の色または前記第２の色をベタ表示する情報表示媒体であって、
前記電極は、前記ベタ表示する領域が、前記にじみ領域の幅の略２倍以下の幅を具備する溝によって複数に分割されている情報表示媒体。
【請求項２】
印加される電位に応じて第１の色または第２の色を表示する情報表示層と、前記情報表示層に電位を印加するために前記情報表示層の一方の面に配置された電極とを有し、前記情報表示層が、前記電極に対向する領域にて前記第１の色及び第２の色のうち当該電極に印加された電位に応じた色を表示するとともに、前記電極に対向する領域の外周に沿って、前記第１の色及び第２の色のうち当該電極に印加された電位に応じた色を表示する一定幅を具備するにじみ領域を有し、少なくとも一部の領域にて前記第１の色または前記第２の色をベタ表示する情報表示媒体であって、
前記電極は、前記ベタ表示する領域に孔部を有し、該孔部は、前記情報表示層の対向する領域が前記にじみ領域によって略覆われる形状及び大きさを具備する情報表示媒体。
【発明の詳細な説明】
【技術分野】
【０００１】
本発明は、電極に印加された電位によって情報を表示する情報表示媒体に関し、特に、ベタ表示する領域を有する情報表示媒体においてコスト削減を図る技術に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する電子ペーパーと呼ばれる電子ディスプレイが普及しはじめている。電子ペーパーは、互いに対向する２つの電極間に、この２つの電極に印加された電位によってその状態が変化する物質を介在させ、２つの電極間にて電位差を生じさせることにより物質の状態を変化させ、その物質の変化を用いて情報を表示するものである（例えば、特許文献１参照。）。このような電子ペーパーは、紙のように薄いために携帯がしやすいとともに、消費電力が少なく、また視野角が広く、さらには、電極に印加する電位によって表示される情報を書き換えることができるとともに、電源を切断した場合でも表示内容を保持できることから、今後のさらなる普及が予想される。
【０００４】
図１１は、一般的な電子ディスプレイの構造の一例を示す図であり、（ａ）は表面図、（ｂ）は（ａ）に示したＡ−Ａ’断面図、（ｃ）は内部の構造を示す図、（ｄ）は（ｂ）に示したＡ部拡大図である。
【０００５】
一般的な電子ディスプレイは図１１に示すように、情報を表示する情報表示層７２０が、配線電極層７１０と透明導電膜基板７３０とに挟み込まれて構成されている。
【０００６】
透明導電膜基板７３０は、ガラス等からなる透明基板７３１の一方の面に透明電極（例えば、ＩＴＯ：Indium Tin Oxide）７３２が形成されて構成されており、また、情報表示層７２０は、シール層７２４と隔壁７２１とで囲まれた領域に、帯電性粒子７２３が分散した隔壁内液体７２２が収納されて構成されている。
【０００７】
配線電極層７１０は、ベース基材７１１上に、情報表示部７０２にて情報を表示するための電位が印加される電極７１２ａ〜７１２ｎと、ベタ表示部７０３にて１つの色をベタ表示するための電位が印加される電極７１３とが形成され、さらに、これら電極７１２ａ〜７１２ｎ，７１３に電位を印加するための配線（不図示）が形成されて構成されている。
【０００８】
上記のように構成された電子ディスプレイ７０１においては、電極７１２ａ〜７１２ｎ，７１３に選択的に電位が印加されると、隔壁内液体７２２内にて帯電性粒子７２３がクーロン力で移動し、電極７１２ａ〜７１２ｎ，７１３と透明電極７３２のいずれか一方の側に引き寄せられていく。そして、隔壁内液体７２２が染料または顔料で例えば黒色に着色されており、帯電性粒子７２３が高屈折率の光散乱成分を含むため、透明導電膜基板７３０側から観察した場合、電極７１２ａ〜７１２ｎ，７１３側に帯電性粒子７２３が引き寄せられた領域が黒色に見え、また、透明電極７３２側に帯電性粒子７２３が引き寄せられた領域が白色に見え、この黒色の領域と白色の領域とによって所望の情報が表現されて見えるようになる。なお、ベタ表示部７０３においては、ベタ表示部７０３にて黒色または白色を表示するための電極が１つの電極７１３によるため、電極７１３側に帯電性粒子７２３が引き寄せられた場合に黒色に見え、また、透明電極７３２側に帯電性粒子７２３が引き寄せられた場合に白色に見えるようになる。
【先行技術文献】
【特許文献】
【０００９】
【特許文献１】特許第３６８０９９６号公報
【発明の概要】
【発明が解決しようとする課題】
【００１０】
上述した電子ディスプレイのような情報表示媒体においては、１つの色をベタ表示するベタ表示部に１つの電極が配置されており、この電極に印加する電位に応じて黒色または白色が表示されることになるが、近年、上述したような電極を、導電ペーストを用いた印刷によって形成することが行われており、その場合、ベタ表示部の大きさが大きくなるに従って、形成する電極の大きさも大きくなり、製造コストが増大してしまうという問題点がある。
【００１１】
ここで、上述したような情報表示媒体においては、電極に電位が印加された場合、情報表示層のうちその電極に対向する領域において、印加された電位に応じて帯電性粒子が隔壁内液体内を移動して二色のうちいずれか一色が表示されることになるが、実際には、情報表示層の電極に対向する領域の外周に沿う領域においても、その電極に印加された電位の影響を受け、電極に印加された電位に応じて帯電性粒子が隔壁内液体内を移動し、電極に対向する領域と同一の色が表示されるにじみ領域が存在する。このにじみ領域は、情報表示層の電極に対向する領域の外周に沿う領域において一定幅を有している。そこで、このにじみ領域を利用することによって上述したような問題点を解決することを検討する。
【００１２】
本発明は、上述したような従来の技術が有する問題点に鑑みてなされたものであって、電極に印加される電位に応じて第１の色または第２の色を表示する情報表示媒体において、電極を導電ペーストを用いた印刷によって形成する場合に、ベタ表示を行うためのコストを低減することができる情報表示媒体を提供することを目的とする。
【課題を解決するための手段】
【００１３】
上記目的を達成するために本発明は、
印加される電位に応じて第１の色または第２の色を表示する情報表示層と、前記情報表示層に電位を印加するために前記情報表示層の一方の面に配置された電極とを有し、前記情報表示層が、前記電極に対向する領域にて前記第１の色及び第２の色のうち当該電極に印加された電位に応じた色を表示するとともに、前記電極に対向する領域の外周に沿って、前記第１の色及び第２の色のうち当該電極に印加された電位に応じた色を表示する一定幅を具備するにじみ領域を有し、少なくとも一部の領域にて前記第１の色または前記第２の色をベタ表示する情報表示媒体であって、
前記電極は、前記ベタ表示する領域が、前記にじみ領域の幅の略２倍以下の幅を具備する溝によって複数に分割されている。
【００１４】
上記のように構成された本発明においては、情報表示層に第１の色または第２の色を表示するための電位を印加する電極のうち、ベタ表示する領域が、情報表示層が具備するにじみ領域の幅の略２倍以下の幅を具備する溝によって複数に分割されている。このにじみ領域は、情報表示層の電極に対向する領域の外周に沿って、第１の色及び第２の色のうちその電極に印加された電位に応じた色を表示するものであるので、情報表示層の溝に対向する部分においても、電極に印加された電位に応じた色が表示されることとなり、それにより、ベタ表示する領域においては、その全体において、溝によって複数に分割された電極に印加された電位に応じた色が表示されることになる。
【００１５】
このように、ベタ表示する領域において、その全体に渡って電極を配置することなく、ベタ表示が可能となるので、電極を導電ペーストを用いた印刷によって形成する場合に、ベタ表示を行うためのコストが低減されることになる。
【００１６】
また、印加される電位に応じて第１の色または第２の色を表示する情報表示層と、前記情報表示層に電位を印加するために前記情報表示層の一方の面に配置された電極とを有し、前記情報表示層が、前記電極に対向する領域にて前記第１の色及び第２の色のうち当該電極に印加された電位に応じた色を表示するとともに、前記電極に対向する領域の外周に沿って、前記第１の色及び第２の色のうち当該電極に印加された電位に応じた色を表示する一定幅を具備するにじみ領域を有し、少なくとも一部の領域にて前記第１の色または前記第２の色をベタ表示する情報表示媒体であって、
前記電極は、前記ベタ表示する領域に孔部を有し、該孔部は、前記情報表示層の対向する領域が前記にじみ領域によって略覆われる形状及び大きさを具備する。
【００１７】
上記のように構成された本発明においては、情報表示層に第１の色または第２の色を表示するための電位を印加する電極のベタ表示する領域に孔部を有し、この孔部が、情報表示層の対向する領域が、情報表示層が具備するにじみ領域によって略覆われる形状及び大きさを具備するものとなっている。このにじみ領域は、情報表示層の電極に対向する領域の外周に沿って、第１の色及び第２の色のうちその電極に印加された電位に応じた色を表示するものであるので、情報表示層の孔部に対向する部分においても、電極に印加された電位に応じた色が表示されることとなり、それにより、ベタ表示する領域においては、その全体において、孔部を具備する電極に印加された電位に応じた色が表示されることになる。
【００１８】
このように、ベタ表示する領域において、その全体に渡って電極を配置することなく、ベタ表示が可能となるので、電極を導電ペーストを用いた印刷によって形成する場合に、ベタ表示を行うためのコストが低減されることになる。
【発明の効果】
【００１９】
以上説明したように本発明においては、情報表示層に第１の色または第２の色を表示するための電位を印加する電極のうち、ベタ表示する領域が、情報表示層において隣接する電極に印加された電位に応じた色を表示するにじみ領域の幅の略２倍以下の幅を具備する溝によって複数に分割されている構成としたため、情報表示層の溝に対向する部分においても、電極に印加された電位に応じた色が表示されることとなり、それにより、ベタ表示する領域において、その全体に渡って電極を配置することなく、ベタ表示が可能となり、電極を導電ペーストを用いた印刷によって形成する場合に、ベタ表示を行うためのコストを低減することができる。
【００２０】
また、情報表示層に第１の色または第２の色を表示するための電位を印加する電極のベタ表示する領域に孔部を有し、この孔部が、情報表示層の対向する領域が、情報表示層において隣接する電極に印加された電位に応じた色を表示するにじみ領域によって略覆われる形状及び大きさを具備するものとなっている構成としたものにおいては、情報表示層の孔部に対向する部分においても、電極に印加された電位に応じた色が表示されることとなり、それにより、ベタ表示する領域において、その全体に渡って電極を配置することなく、ベタ表示が可能となり、電極を導電ペーストを用いた印刷によって形成する場合に、ベタ表示を行うためのコストを低減することができる。
【図面の簡単な説明】
【００２１】
【図１】本発明の情報表示媒体の第１の実施の形態を示す図であり、（ａ）は表面図、（ｂ）は（ａ）に示したＡ−Ａ’断面図、（ｃ）は内部の構造を示す図、（ｄ）は（ｂ）に示したＡ部拡大図である。
【図２】図１に示した電子ディスプレイの動作を説明するための図であり、（ａ）は図１に示した電極近傍の帯電性粒子の動きを示す断面図、（ｂ）は図１に示した情報表示層におけるにじみ領域を示す表面図、（ｃ）は図１に示したベタ表示部における情報表示層の状態を示す断面図、（ｄ）は（ｃ）に示した状態におけるベタ表示部における情報表示層の見え方を示す表面図である。
【図３】図１に示した電子ディスプレイの情報の見え方を示す図である。
【図４】本発明の情報表示媒体の第２の実施の形態を示す図であり、（ａ）は表面図、（ｂ）は（ａ）に示したＡ−Ａ’断面図、（ｃ）は内部の構造を示す図、（ｄ）は（ｂ）に示したＡ部拡大図である。
【図５】図４に示した電子ディスプレイの動作を説明するための図であり、（ａ）は図４に示した電極近傍の帯電性粒子の動きを示す断面図、（ｂ）は図４に示した情報表示層におけるにじみ領域を示す表面図、（ｃ）は図４に示したベタ表示部における情報表示層の状態を示す断面図、（ｄ）は（ｃ）に示した状態におけるベタ表示部における情報表示層の見え方を示す表面図である。
【図６】図４に示した電子ディスプレイの情報の見え方を示す図である。
【図７】本発明の情報表示媒体の第３の実施の形態を示す図であり、（ａ）は表面図、（ｂ）は（ａ）に示したＡ−Ａ’断面図、（ｃ）は内部の構造を示す図、（ｄ）は（ｂ）に示したＡ部拡大図である。
【図８】図７に示した電子ディスプレイの動作を説明するための図であり、（ａ）は図７に示した電極近傍の帯電性粒子の動きを示す断面図、（ｂ）は図７に示した情報表示層におけるにじみ領域、並びにベタ表示部における見え方を示す表面図である。
【図９】図７に示した電子ディスプレイの情報の見え方を示す図である。
【図１０】本発明の情報表示媒体の他の実施の形態を示す図である。
【図１１】一般的な電子ディスプレイの構造の一例を示す図であり、（ａ）は表面図、（ｂ）は（ａ）に示したＡ−Ａ’断面図、（ｃ）は内部の構造を示す図、（ｄ）は（ｂ）に示したＡ部拡大図である。
【発明を実施するための形態】
【００２２】
以下に、本発明の実施の形態について図面を参照して説明する。
【００２３】
（第１の実施の形態）
図１は、本発明の情報表示媒体の第１の実施の形態を示す図であり、（ａ）は表面図、（ｂ）は（ａ）に示したＡ−Ａ’断面図、（ｃ）は内部の構造を示す図、（ｄ）は（ｂ）に示したＡ部拡大図である。
【００２４】
本形態は図１に示すように、情報を表示する領域となる情報表示部２と、１つの色をベタ表示する領域となるベタ表示部３とを有する電子ディスプレイ１であって、印加される電位によって第１の色となる黒色または第２の色となる白色を表示する情報表示層２０が、配線電極層１０と透明導電膜基板３０とに挟み込まれて構成されている。
【００２５】
透明導電膜基板３０は、ガラス等からなる透明基板３１の一方の面に透明電極（例えば、ＩＴＯ）３２が形成されて構成されている。
【００２６】
情報表示層２０は、隔壁２１とシール層２４とで囲まれた領域に、染料または顔料で黒色に着色された隔壁内液体２２が収納されており、この隔壁内液体２２には、高屈折率の光散乱成分を含む帯電性粒子２３が分散している。なお、隔壁２１は、底部と、情報表示層２０の外周部となる側部と、側部で囲まれた領域を複数の領域に区画するための壁部とからなり、底部とは反対側の面が開口した形状となっている。そして、底部側が配線電極層１０となるように積層されており、開口した側にシール層２４が積層されている。隔壁２１としては、例えば、約２０μｍの厚さのものが用いられ、隔壁２１によって囲まれる領域の形状は、一辺が約１３０μｍの正方形や、ハニカム形状のものが考えられる。
【００２７】
配線電極層１０は、ベース基材１１上に、情報表示部２にて情報を表示するための電位が印加される電極１２ａ〜１２ｎと、ベタ表示部３にて黒色または白色をベタ表示するための電位が印加される電極１３とが形成され、さらに、これら電極１２ａ〜１２ｎ，１３に電位を印加するための配線（不図示）が形成されて構成されている。この電極１２ａ〜１２ｎ，１３は、情報表示部２に表示する情報に応じたパターンで形成されている。本形態は、この電極１２ａ〜１２ｎ，１３を用いて数字を表示するものであって、電極１２ａ〜１２ｇによって７つのセグメントからなる表示部と、電極１２ｈ〜１２ｎによって７つのセグメントからなる表示部とからなり、これら電極１２ａ〜１２ｎと、電極１２ａ〜１２ｎの周囲に形成されて数字の背景となる電極１３とに対する電位の印加状態によって、“０”〜“９９”までの数字を表示することができる。
【００２８】
また、電極１３は、直線状の溝１４によって複数に分割されており、この複数に分割された電極１３は、ベース基材１１に形成された配線（不図示）によって互いに接続されている。なお、本形態においては、説明を簡単にするために、電極１３のうち、情報表示部２の図中左側のみが溝１４によって分割されているが、情報表示部２にて情報が表示される図中上下の領域、また、７つのセグメントの内部においても溝１４を形成し、電極１３を複数に分割してもよい。
【００２９】
以下に、上記のように構成された電子ディスプレイ１の動作について説明する。
【００３０】
図２は、図１に示した電子ディスプレイ１の動作を説明するための図であり、（ａ）は図１に示した電極１３近傍の帯電性粒子２３の動きを示す断面図、（ｂ）は図１に示した情報表示層２０におけるにじみ領域を示す表面図、（ｃ）は図１に示したベタ表示部３における情報表示層２０の状態を示す断面図、（ｄ）は（ｃ）に示した状態におけるベタ表示部３における情報表示層２０の見え方を示す表面図である。
【００３１】
図１に示した電子ディスプレイ１は、電極１２ａ〜１２ｎ，１３に選択的に電位が印加されると、隔壁内液体２２内にて帯電性粒子２３がクーロン力で移動し、電極１２ａ〜１２ｎ，１３と透明電極３２のいずれか一方の側に引き寄せられていく。そして、隔壁内液体２２が染料または顔料で黒色に着色されており、帯電性粒子２３が高屈折率の光散乱成分を含むため、透明導電膜基板３０側から観察した場合、電極１２ａ〜１２ｎ，１３側に帯電性粒子２３が引き寄せられた領域が黒色に見え、また、透明電極３２側に帯電性粒子２３が引き寄せられた領域が白色に見え、この黒色の領域と白色の領域とによって所望の情報が表現されて見えるようになる。
【００３２】
ここで、図１に示した電子ディスプレイ１においては、例えば、電極１２ａ〜１２ｎ，１３にプラスの電位が印加されると、情報表示層２０の電極１２ａ〜１２ｎ，１３に対向する領域においては、帯電性粒子２３が電極１２ａ〜１２ｎ，１３側に引き寄せられていくが、図２（ａ）に示すように、電極１２ａ〜１２ｎ，１３に対向する領域に隣接する領域、すなわち、電極１２ａ〜１２ｎ，１３に対向する領域の外周に沿う領域においても、電極１２ａ〜１２ｎ，１３に印加された電位の影響を受け、一定の幅だけ、帯電性粒子２３が電極１２ａ〜１２ｎ，１３側に引き寄せられていく。
【００３３】
そのため、電子ディスプレイ１を透明導電膜基板３０側から観察すると、図２（ｂ）に示すように、電極１２ａ〜１２ｎ，１３に対向する領域が、黒色に着色された着色表示領域４１として黒色に見えるとともに、この電極１２ａ〜１２ｎ，１３に対向する領域に隣接する領域においても、一定幅Ｗを有するにじみ領域４２として着色表示領域４１と同一の黒色に見えるようになる。これにより、情報表示層２０においては、電極１２ａ〜１２ｎ，１３に対向する領域にて黒色及び白色のうちその電極に印加された電位に応じた色が表示されるとともに、電極１２ａ〜１２ｎ，１３に対向する領域に隣接する領域に、黒色及び白色のうちその電極に印加された電位に応じた色を表示する一定幅を具備するにじみ領域４２を有することになる。なお、このにじみ領域４２は、情報表示層２０の厚さや、隔壁２１の厚さ、隔壁２１によって区切られる空間の大きさ、帯電性粒子２３の大きさ、電極１２ａ〜１２ｎ，１３に印加される電位の大きさ等によってその幅が決まる。
【００３４】
そこで、本形態においては、ベタ表示部３に配置された電極１３を複数に分割する溝１４の幅を、にじみ領域４２の幅Ｗの２倍としている。すると、図２（ｃ）に示すように、電極１３にプラスの電位が印加されると、情報表示層２０の電極１３に対向する領域において帯電性粒子２３が電極１３側に引き寄せられるとともに、溝１４に対向する領域においても帯電性粒子２３が電極１３側に引き寄せられることになる。
【００３５】
それにより、図２（ｄ）に示すように、ベタ表示部３においては、溝１４に対向する領域が情報表示層２０のにじみ領域４２によって覆われることとなり、溝１４によって複数に分割された電極１３に対向する領域と溝１４に対向する領域とが、それぞれ着色表示領域４１とにじみ領域４２として同一の黒色に見えるようになる。なお、にじみ領域４２においては、帯電性粒子２３が電極側１３側に引き寄せられるものの隔壁２１の底部に接しない場合も生じるが、その領域においても、帯電性粒子２３が電極側１３側に引き寄せられることにより、着色表示領域４１と同一の黒色に見えることになる。
【００３６】
図３は、図１に示した電子ディスプレイ１の情報の見え方を示す図である。
【００３７】
上述したように図１に示した電子ディスプレイ１においては、ベタ表示部３に配置された電極１３が溝１４によって複数に分割されているものの、情報表示層２０の溝１４に対向する領域においては、情報表示層２０が有するにじみ領域４２の作用によって電極１３に印加された電位に応じた色が表示されるため、図３に示すように、情報表示部２には、電極１２ａ〜１２ｎに印加された電位に応じた色が表示されることにより情報２ａが表示され、また、ベタ表示部３には、全面が黒色となるベタ表示３ａが表示されることになる。なお、図３に示したものにおいては、電極１２ａ〜１２ｎの全てにマイナス電位が印加されることによって帯電性粒子２３が透明電極３２側に引き寄せられ、白色によって情報“８８”が表示されている。
【００３８】
これにより、ベタ表示３ａを行うベタ表示部３の全面に渡って電極を配置することなく、黒色一色によってベタ表示３ａを表示することができるようになり、電極を導電ペーストを用いた印刷によって形成する場合に、ベタ表示３ａを行うためのコストを低減することができる。なお、複数に分割された電極１３の幅としては、例えば、５６〜１１２μｍに設定することが考えられ、溝１４の幅としては、例えば、３０〜４３μｍに設定することが考えられる。ただし、上述したような効果を得るためには、溝１４の幅を、にじみ領域４２の幅の２倍以下とする必要があるが、実際に肉眼で観察した場合、１つの色によってベタ表示される領域においては多少の色の違いはその周囲の色によって認識困難となるため、溝１４の幅は、にじみ領域４２の幅の２倍を若干超えたものであってもよく、これを含めて本願では、溝１４の幅をにじみ領域４２の幅の略２倍以下と定義する。
【００３９】
（第２の実施の形態）
図４は、本発明の情報表示媒体の第２の実施の形態を示す図であり、（ａ）は表面図、（ｂ）は（ａ）に示したＡ−Ａ’断面図、（ｃ）は内部の構造を示す図、（ｄ）は（ｂ）に示したＡ部拡大図である。
【００４０】
本形態は図４に示すように、図１に示したものに対して、ベタ表示部１０３に設けられた溝１１４が格子状に形成され、それにより、ベタ表示部１０３に配置された電極１１３がマトリックス状に複数に分割されている点のみが異なるものである。
【００４１】
以下に、上記のように構成された電子ディスプレイ１０１の動作について説明する。
【００４２】
図５は、図４に示した電子ディスプレイ１０１の動作を説明するための図であり、（ａ）は図４に示した電極１１３近傍の帯電性粒子１２３の動きを示す断面図、（ｂ）は図４に示した情報表示層１２０におけるにじみ領域を示す表面図、（ｃ）は図４に示したベタ表示部１０３における情報表示層１２０の状態を示す断面図、（ｄ）は（ｃ）に示した状態におけるベタ表示部１０３における情報表示層１２０の見え方を示す表面図である。
【００４３】
図４に示した電子ディスプレイ１０１は、図１に示したものと同様に、例えば、電極１１２ａ〜１１２ｎ，１１３にプラスの電位が印加されると、情報表示層１２０の電極１１２ａ〜１１２ｎ，１１３に対向する領域においては、帯電性粒子１２３が電極１１２ａ〜１１２ｎ，１１３側に引き寄せられていくが、図５（ａ）に示すように、電極１１２ａ〜１１２ｎ，１１３に対向する領域の外周に沿う領域においても、電極１１２ａ〜１１２ｎ，１１３に印加された電位の影響を受け、一定の幅だけ、帯電性粒子１２３が電極１１２ａ〜１１２ｎ，１１３側に引き寄せられていく。
【００４４】
そのため、電子ディスプレイ１０１を透明導電膜基板１３０側から観察すると、図５（ｂ）に示すように、電極１１２ａ〜１１２ｎ，１１３に対向する領域が、黒色に着色された着色表示領域１４１として黒色に見えるとともに、この電極１１２ａ〜１１２ｎ，１１３に対向する領域の外周に沿う領域においても、一定幅Ｗを有するにじみ領域１４２として着色表示領域１４１と同一の黒色に見えるようになる。これにより、情報表示層１２０においては、電極１１２ａ〜１１２ｎ，１１３に対向する領域にて黒色及び白色のうちその電極に印加された電位に応じた色が表示されるとともに、電極１１２ａ〜１１２ｎ，１１３に対向する領域の外周に沿う領域に、黒色及び白色のうちその電極に印加された電位に応じた色を表示する一定幅を具備するにじみ領域１４２を有することになる。
【００４５】
そこで、本形態においても、ベタ表示部１０３に配置された電極１１３を複数に分割する溝１１４の幅を、にじみ領域１４２の幅Ｗの２倍としている。すると、図５（ｃ）に示すように、電極１１３にプラスの電位が印加されると、情報表示層１２０の電極１１３に対向する領域において帯電性粒子１２３が電極１１３側に引き寄せられるとともに、溝１１４に対向する領域においても帯電性粒子１２３が電極１１３側に引き寄せられることになる。
【００４６】
それにより、図５（ｄ）に示すように、ベタ表示部１０３においては、溝１１４に対向する領域が情報表示層１２０のにじみ領域１４２によって覆われることとなり、溝１１４によって複数に分割された電極１１３に対向する領域と溝１１４に対向する領域とが、それぞれ着色表示領域１４１とにじみ領域１４２として同一の黒色に見えるようになる。
【００４７】
図６は、図４に示した電子ディスプレイ１０１の情報の見え方を示す図である。
【００４８】
上述したように図４に示した電子ディスプレイ１０１においては、ベタ表示部１０３に配置された電極１１３が溝１１４によって複数に分割されているものの、情報表示層１２０の溝１１４に対向する領域においては、情報表示層１２０が有するにじみ領域１４２の作用によって電極１１３に印加された電位に応じた色が表示されるため、図６に示すように、情報表示部１０２には、電極１１２ａ〜１１２ｎに印加された電位に応じた色が表示されることにより情報１０２ａが表示され、また、ベタ表示部１０３には、全面が黒色となるベタ表示１０３ａが表示されることになる。
【００４９】
これにより、ベタ表示１０３ａを行うベタ表示部１０３の全面に渡って電極を配置することなく、黒色一色によってベタ表示１０３ａを表示することができるようになり、電極を導電ペーストを用いた印刷によって形成する場合に、ベタ表示１０３ａを行うためのコストを低減することができる。
【００５０】
（第３の実施の形態）
図７は、本発明の情報表示媒体の第３の実施の形態を示す図であり、（ａ）は表面図、（ｂ）は（ａ）に示したＡ−Ａ’断面図、（ｃ）は内部の構造を示す図、（ｄ）は（ｂ）に示したＡ部拡大図である。
【００５１】
本形態は図７に示すように、図１に示したものに対して、ベタ表示部２０３に配置された電極２１３に、同一径を有する円形の複数の孔部２１４がマトリックス状に形成されている点のみが異なるものである。
【００５２】
以下に、上記のように構成された電子ディスプレイ２０１の動作について説明する。
【００５３】
図８は、図７に示した電子ディスプレイ２０１の動作を説明するための図であり、（ａ）は図７に示した電極２１３近傍の帯電性粒子２２３の動きを示す断面図、（ｂ）は図７に示した情報表示層２２０におけるにじみ領域、並びにベタ表示部２０３における見え方を示す表面図である。
【００５４】
図７に示した電子ディスプレイ２０１は、図１に示したものと同様に、例えば、電極２１２ａ〜２１２ｎ，２１３にプラスの電位が印加されると、情報表示層２２０の電極２１２ａ〜２１２ｎ，２１３に対向する領域においては、帯電性粒子２２３が電極２１２ａ〜２１２ｎ，２１３側に引き寄せられていくが、図８（ａ）に示すように、電極２１２ａ〜２１２ｎ，２１３に対向する領域の外周に沿う領域においても、電極２１２ａ〜２１２ｎ，２１３に印加された電位の影響を受け、一定の幅Ｗだけ、帯電性粒子２２３が電極２１２ａ〜２１２ｎ，２１３側に引き寄せられていく。
【００５５】
そのため、電子ディスプレイ２０１を透明導電膜基板２３０側から観察すると、電極２１２ａ〜２１２ｎ，２１３に対向する領域が黒色に着色されて見えるとともに、この電極２１２ａ〜２１２ｎ，２１３に対向する領域の外周に沿う領域においても、一定幅Ｗを有するにじみ領域となって黒色に見えるようになる。これにより、情報表示層２２０においては、電極２１２ａ〜２１２ｎ，２１３に対向する領域にて黒色及び白色のうちその電極に印加された電位に応じた色が表示されるとともに、電極２１２ａ〜２１２ｎ，２１３に対向する領域の外周に沿う領域に、黒色及び白色のうちその電極に印加された電位に応じた色を表示する一定幅を具備するにじみ領域を有することになる。
【００５６】
そこで、本形態においては、図８（ｂ）に示すように、ベタ表示部２０３に配置された電極２１３に形成された孔部２１４の最大径を、にじみ領域２４２の幅Ｗの２倍としている。
【００５７】
すると、電極２１３にプラスの電位が印加されると、情報表示層２２０の電極２１３に対向する領域において帯電性粒子２２３が電極２１３側に引き寄せられるとともに、孔部２１４に対向する領域においても帯電性粒子２２３が電極２１３側に引き寄せられることになり、それにより、図８（ｂ）に示すように、ベタ表示部２０３においては、孔部２１４に対向する領域が情報表示層２２０のにじみ領域２４２によって覆われることとなり、ベタ表示部２０３に配置された電極２１３に対向する領域とこの電極２１３に形成された孔部２１４に対向する領域とが、それぞれ着色表示領域２４１とにじみ領域２４２として同一の黒色に見えるようになる。
【００５８】
図９は、図７に示した電子ディスプレイ２０１の情報の見え方を示す図である。
【００５９】
上述したように図７に示した電子ディスプレイ２０１においては、ベタ表示部２０３に配置された電極２１３に複数の孔部２１４が形成されているものの、情報表示層２２０の孔部２１４に対向する領域においては、情報表示層２２０が有するにじみ領域２４２の作用によって電極２１３に印加された電位に応じた色が表示されるため、図９に示すように、情報表示部２０２には、電極２１２ａ〜２１２ｎに印加された電位に応じた色が表示されることにより情報２０２ａが表示され、また、ベタ表示部２０３には、全面が黒色となるベタ表示２０３ａが表示されることになる。
【００６０】
これにより、ベタ表示２０３ａを行うベタ表示部２０３の全面に渡って電極を配置することなく、黒色一色によってベタ表示２０３ａを表示することができるようになり、電極を導電ペーストを用いた印刷によって形成する場合に、ベタ表示２０３ａを行うためのコストを低減することができる。なお、本形態における孔部２１４の大きさにおいても、上述したような効果を得るためには、その最大径を、にじみ領域２４２の幅の２倍以下とする必要があるが、実際に肉眼で観察した場合、１つの色によってベタ表示される領域においては多少の色の違いはその周囲の色によって認識困難となるため、孔部２１４の最大径は、にじみ領域２４２の幅の２倍を若干超えたものであってもよく、これを含めて本願では、孔部２１４の径をにじみ領域２４２の幅の略２倍以下と定義する。
【００６１】
（他の実施の形態）
図１０は、本発明の情報表示媒体の他の実施の形態を示す図であり、ベタ表示部の構成を示す。
【００６２】
図１に示したものにおいては、ベタ表示部３に配置された電極１３が直線状の溝１４によって複数に分割されているが、図１０（ａ）に示すように、ベタ表示部に配置された電極３１３を曲線状の溝３１４によって複数に分割することも考えられる。
【００６３】
また、図１０（ｂ）に示すように、ベタ表示部に配置された電極４１３を分割するための溝４１４を途切れ途切れとなるようなものとして、電極を完全に分割しないような構成であってもよく、このような状態も含めて本願では、溝によって電極が複数に分割されていると定義する。
【００６４】
また、図１０（ｃ）に示すように、ベタ表示部に配置された電極５１３を、周回状に形成された複数の溝５１４によって複数に分割することも考えられる。
【００６５】
すなわち、図１に示したような複数の溝１４は、互いに同一方向に延びるように形成されていてもよいし、互いに異なる方向に形成されていてもよい。
【００６６】
また、図７に示したものにおいては、ベタ表示部２０３に配置された電極２１３に、同一径を有する円形の複数の孔部２１４がマトリックス状に形成されているが、図１０（ｄ）に示すように、ベタ表示部に配置された電極６１３に、同一形状を有する正方形の複数の孔部６１４がマトリックス状に形成されていることも考えられる。また、正方形に限らず三角形や長方形等の多角形、さらには、外形がひょうたん型等の不規則な曲線からなる孔部であってもよい。ただし、いずれの場合においても、孔部は、情報表示層の対向する領域がにじみ領域によって覆われる形状及び大きさである必要がある。なお、上述したように、実際に肉眼で観察した場合、１つの色によってベタ表示される領域においてはベタ表示部における多少の色の違いはその周囲の色によって認識困難となるため、孔部の一部がにじみ領域によって覆われないものであってもよく、これを含めて本願では、孔部は、情報表示層の対向する領域がにじみ領域によって略覆われる形状及び大きさであると定義する。
【００６７】
また、図７に示したものにおいては、ベタ表示部２０３に配置された電極２１３に、同一径を有する円形の複数の孔部２１４がマトリックス状に形成されているが、孔部２１４はマトリックス状に形成されている必要はなく、また、１つの孔部２１４が形成されたものであってもよい。また、複数の孔部２１４は、その大きさが互いに同一であるものには限らない。
【００６８】
また、上述した実施の形態においては、電極１３，１１３，２１３にプラスの電位が印加されることにより、ベタ表示部３，１０３，２０３が黒色に表示される場合を例に挙げて説明したが、電極１３，１１３，２１３にマイナスの電位が印加されることにより、ベタ表示部３，１０３，２０３が白色に表示される場合であっても、上述した作用によって、ベタ表示部３，１０３，２０３の全体が白色に見えることになる。また、電子ディスプレイ１，１０１，２０１にて表示される２色は、上述した白色及び黒色に限らず、情報表示部２，１０２，２０２に表示される情報２ａ，１０２ａ，２０２ａが識別可能な２色であればよい。
【符号の説明】
【００６９】
１，１０１，２０１    電子ディスプレイ
２，１０２，２０２    情報表示部
２ａ，１０２ａ，２０２ａ    情報
３，１０３，２０３    ベタ表示部
３ａ，１０３ａ，２０３ａ    ベタ表示
１０，１１０，２１０    配線電極層
１１，１１１，２１１    ベース基板
１２ａ〜１２ｎ，１３，１１２ａ〜１１２ｎ，１１３，２１２ａ〜２１２ｎ，２１３，３１３，４１３，５１３，６１３    電極
１４，１１４，３１４，４１４，５１４    溝
２０，１２０，２２０    情報表示層
２１，１２１，２２１    隔壁
２２，１２２，２２２    隔壁内液体
２３，１２３，２２３    帯電性粒子
２４，１２４，２２４    シール層
３０，１３０，２３０    透明導電膜基板
３１，１３１，２３１    透明基板
３２，１３２，２３２    透明電極
４１，１４１，２４１    着色表示領域
４２，１４２，２４２    にじみ領域
２１４，６１４    孔部
【図１】
2011013254.tif 000003
【図２】
2011013254.tif 000004
【図３】
2011013254.tif 000005
【図４】
2011013254.tif 000006
【図５】
2011013254.tif 000007
【図６】
2011013254.tif 000008
【図７】
2011013254.tif 000009
【図８】
2011013254.tif 000010
【図９】
2011013254.tif 000011
【図１０】
2011013254.tif 000012
【図１１】
2011013254.tif 000013